(57)【特許請求の範囲】
【請求項１】
被装着面に対する当接部を備えた基材に、被装着面側の被係止部に対して係脱自在な係止部を備えた係止体と、物品を掛け止め可能な掛止部を備えた掛け止め体とが同軸芯周りで回動自在に枢着されているとともに、前記基材には、それの表面側から前記掛け止め体の基端部が嵌入可能で、且つ、その嵌入状態で掛け止め体の基端部に当接することにより該掛け止め体を基材の表面に対して交差状態で外方に突出する掛け止め姿勢に保持する嵌合凹部が形成され、前記掛け止め体の下側面の基端部側には、被装着面側の被係止杆に対して上方側から係脱自在な係合部が形成され、更に、前記掛け止め体及び係止体が、前記基材の背面側に回動させた折り畳み姿勢に変更自在に構成されている物品掛け具。
【請求項２】
前記係止体が、前記基材に枢着された連結部と、該連結部に対してそれの回動軸芯と交差する縦軸芯周りで向き変更可能な係止部とから構成されている請求項１記載の物品掛け具。
【請求項３】
前記掛け止め体には、前記係止体の係止部の少なくとも一部が入り込み可能な凹部が形成されている請求項２記載の物品掛け具。
【請求項４】
前記凹部は、前記係止体の係止部の係止口が掛け止め体の掛止部の掛止口と対向する逆向き姿勢にあるとき、前記係止体の略全体が入り込み可能に構成されている請求項３記載の物品掛け具。
【請求項５】
前記凹部は、前記係止体の係止部の係止口が掛け止め体の掛止部の掛止口と同じ側に向く姿勢にあるとき、前記係止部の係止口が掛け止め体の上側面よりも上方側に突出する状態で係止部の一部が入り込み可能に構成されている請求項３又は４記載の物品掛け具。
【請求項６】
前記当接部は、前記基材とは別部材から構成され、該当接部が、前記基材に対してそれの長手方向に位置変更自在に構成されている請求項１〜５のいずれか１項に記載の物品掛け具。
【請求項７】
前記当接部は、前記基材の幅よりも大なる長さを有する別部材から構成され、該当接部が、前記基材に対してそれの長手方向に対して直交する当接姿勢と基材の長手方向に沿う格納姿勢に変更可能に枢着されている請求項１〜５のいずれか１項に記載の物品掛け具。
【請求項８】
前記当接部の当接部位にはこれよりも摩擦係数の大きな弾性体が付設されている請求項１〜７のいずれか１項に記載の物品掛け具。
【発明の詳細な説明】
【技術分野】
【０００１】
本発明は、洗濯物干し用ハンガーや衣服用ハンガー等の物品を室内の鴨居、家具の引出しや扉、タオル掛け、手摺等に掛け止める際に用いられる物品掛け具に関する。
【背景技術】
【０００２】
この種の物品掛け具としては、従来から種々の形態のものが提案されており、その一例を挙げると、下記の特許文献１に示す物品掛け具や特許文献２に示す物品掛け具が存在する。
特許文献１に示す物品掛け具は、ハンガー類を吊下げ可能な吊下部材と、該吊下部材を家具の扉等の被係止部の上縁部に引っ掛け保持可能な金属製の保持部材とからなり、前記吊下部材を、扉表面等の被装着面に沿って上下方向に配置される保持体と、該保持体の下端部に対する横軸芯周りでの上下揺動により、前方に水平に突出する吊下げ姿勢と保持体の前面に重合させた収納姿勢とに変更自在な吊下体から構成するとともに、前記保持部材を、前記保持体の背面の上端部に対して係脱自在な係止部片と、前記掛け部材の上面に当接可能な吊下げ保持片と、掛け部材の背面に弾圧当接可能な弧状弾圧面を備えた弾圧保持片から構成してある。
【０００３】
特許文献２に示す物品掛け具は、被装着面から前方に離間した状態で設けられる水平な被係止杆に対する係合部及びストッパを有する鞘状の掛け本体と、これに摺動自在に格納されて該掛け本体の上端から外部に引出し可能な摺動体とからなり、前記摺動体は、掛け本体のストッパと係合する長手方向の長孔を有するとともに、前記掛け本体と摺動体との間には、摺動体を外部に引き出したときに長孔の下端がストッパに当接し、且つ掛け本体の開口周縁との当接によって摺動体を掛け本体に対して傾斜した姿勢に保持する傾斜保持手段が設けられている。
【０００４】
【特許文献１】特開２００１−１４９２０９号公報
【特許文献２】実用新案登録第３０１４８１９号公報
【発明の開示】
【発明が解決しようとする課題】
【０００５】
前者の物品掛け具は、前記保持部材を家具の扉等の被係止部の上縁部に対して上方から係合させ、且つ前記吊下部材の保持体を扉表面等の被装着面に当接させることにより、前記保持体に対して吊下体が前方に水平に突出した吊下げ姿勢となり、家具の扉のみならず、鴨居や引出し等にも適用することができるものの、タオル掛け等のように、被装着面から前方に離間した状態で設けられる被係止杆に装着する場合には、この被係止杆と保持部材との係合箇所を支点として前記吊下部材の保持体が被装着面に当接するまで傾動するため、これに連れて吊下体も前端が下方に位置する前傾姿勢となり、ハンガー類の吊下げ支持が不安定化する不都合がある。
【０００６】
また、物品掛け具を格納する場合には、前記保持部材の係止部片を、前記保持体の背面の上端部から取り外して、前記吊下部材の吊下体を保持体の前面に重合させた収納姿勢に変更する必要があるため、分離された保持部材と吊下部材の保管が面倒になっていた。
【０００７】
後者の物品掛け具には、タオル掛け等のように、被装着面から前方に離間した状態で設けられる被係止杆に装着する場合には、この被係止杆と被装着面との間の間隙に掛け本体を差し込み、該掛け本体の係合部を被係止杆に係合させるとともに、掛け本体の下端部を被装着面に当接させることにより、ハンガー類の吊下げ支持の安定化を図りながら、掛け本体を被係止杆に安定良く確実に係合保持させることができるが、掛け本体を差し込むことのできない構造物、例えば、鴨居、家具の引き出しや扉等には適用することができない不都合がある。
【０００８】
本発明は、上述の実状に鑑みて為されたものであって、その主たる課題は、鴨居、家具の引き出しや扉、タオル掛け等の各種構造物に対して、ハンガー類等の物品の吊下げ支持の安定化を図りながら安定良く確実・容易に装着することができ、しかも、非使用時にはコンパクトに格納することのできる物品掛け具を提供する点にある。
【課題を解決するための手段】
【０００９】
本発明による第１の特徴構成は、被装着面に対する当接部を備えた基材に、被装着面側の被係止部に対して係脱自在な係止部を備えた係止体と、物品を掛け止め可能な掛止部を備えた掛け止め体とが同軸芯周りで回動自在に枢着されているとともに、前記基材には、それの表面側から前記掛け止め体の基端部が嵌入可能で、且つ、その嵌入状態で掛け止め体の基端部に当接することにより該掛け止め体を基材の表面に対して交差状態で外方に突出する掛け止め姿勢に保持する嵌合凹部が形成され、前記掛け止め体の下側面の基端部側には、被装着面側の被係止杆に対して上方側から係脱自在な係合部が形成され、更に、前記掛け止め体及び係止体が、前記基材の背面側に回動させた折り畳み姿勢に変更自在に構成されている点にある。
【００１０】
上記特徴構成によれば、前記基材に枢着された係止体の係止部を、家具の扉等の被装着面側の被係止部の上縁部に対して上方から係合させ、前記基材の当接部を扉表面等の被装着面に当接させるとともに、前記掛け止め体の基部を前記基材に形成されている嵌合凹部に対して表面側から嵌合させることにより、前記基材に対して掛け止め体が前方に突出した所定の掛け止め姿勢となり、ハンガー等の物品を安定良く吊下げ支持しながら、被装着面側の被係止部に安定良く確実に係合支持させることができるとともに、家具の扉のみならず、鴨居や引出し等にも適用することができる。
【００１１】
しかも、使用状態では、前記基材の嵌合凹部に掛け止め体の基部が表面側から嵌合されているから、掛け止め体に作用する左右方向の外力を嵌合面で分散して受止めることができ、三者の枢支連結構造にガタが発生することを抑制することができる。
【００１２】
更に、タオル掛け等のように、被装着面から前方に離間した状態で設けられる被係止杆に装着する場合には、この被係止杆と被装着面との間の間隙に基材を差し込み、掛け止め体の下側面の基部側に形成されている係合部を被係止杆に対して上方側から係合させるとともに、基材の当接部を被装着面に当接させることにより、基材自体の傾きが小さくなり、ハンガー類の吊下げ支持の安定化を図りながら、物品掛け具を被係止杆に安定良く確実に係合保持させることができる。
【００１３】
従って、鴨居、家具の引き出しや扉、タオル掛け等の各種構造物に対して、ハンガー類等の物品の吊下げ支持の安定化を図りながら安定良く確実・容易に装着することができ、しかも、非使用時には、前記掛け止め体及び係止体が、前記基材の背面側に回動させた折り畳み姿勢に変更することによってコンパクトに格納することができる。
【００１４】
本発明による第２の特徴構成は、前記係止体が、前記基材に枢着された連結部と、該連結部に対してそれの回動軸芯と交差する縦軸芯周りで向き変更可能な係止部とから構成されている点にある。
【００１５】
上記特徴構成によれば、被装着面に設けられている吊下げフックに装着する場合には、前記係止体の係止部を基材に枢着された連結部に対して左右方向に沿う姿勢に変更して吊下げフックに係合することにより、ハンガー等の物品を安定良く吊下げ支持しながら、被装着面側の吊下げフックに安定良く確実に係合支持させることができる。
【００１６】
しかも、非使用時において、前記掛け止め体及び係止体を前記基材の背面側に回動させた折り畳み姿勢に変更する際、前記係止体の連結部に対して係止部を縦軸芯周りで向き変更して、該係止部を折り畳みに最も邪魔にならない姿勢に操作することができるから、折り畳み姿勢のコンパクト化と折り畳み操作の容易化を図ることができる。
【００１７】
本発明による第３の特徴構成は、前記掛け止め体に、前記係止体の係止部の少なくとも一部が入り込み可能な凹部が形成されている点にある。
【００１８】
上記特徴構成によれば、前記掛け止め体及び係止体を前記基材の背面側に回動させた折り畳み姿勢に変更する際、記係止体の係止部の少なくとも一部を、前記掛け止め体に形成されている凹部に入り込ませることにより、折り畳み姿勢のコンパクト化を図ることができる。
【００１９】
本発明による第４の特徴構成は、前記凹部が、前記係止体の係止部の係止口が掛け止め体の掛止部の掛止口と対向する逆向き姿勢にあるとき、前記係止体の略全体が入り込み可能に構成されている点にある。
【００２０】
上記特徴構成によれば、前記掛け止め体及び係止体を前記基材の背面側に回動させた折り畳み姿勢に変更する際、前記係止体の係止部をそれの係止口が掛け止め体の掛止部の掛止口と対向する逆向き姿勢に操作して、前記係止体の略全体を前記掛け止め体に形成されている凹部内に入り込ませることにより、折り畳み姿勢のコンパクト化を図ることができる。
【００２１】
本発明による第５の特徴構成は、前記凹部が、前記係止体の係止部の係止口が掛け止め体の掛止部の掛止口と同じ側に向く姿勢にあるとき、前記係止部の係止口が掛け止め体の上側面よりも上方側に突出する状態で係止部の一部が入り込み可能に構成されている点にある。
【００２２】
上記特徴構成によれば、タオル掛け等のように、被装着面から前方に離間した状態で設けられる被係止杆に装着する際、不要となる前記係止体の係止部を、それの係止口が掛け止め体の掛止部の掛止口と同じ側に向く姿勢に操作して、該係止部の一部を前記掛け止め体に形成されている凹部内に入り込ませることにより、前記係止部の係止口が掛け止め体の上側面よりも上方側に突出した状態で保持されるから、この係止体の係止部を、物品を掛け止め可能な第２の掛止部として便利に使用することができる。
【００２３】
本発明による第６の特徴構成は、前記当接部が、前記基材とは別部材から構成され、該当接部が、前記基材に対してそれの長手方向に位置変更自在に構成されている点にある。
【００２４】
上記特徴構成によれば、前記被装着面に対する当接部の当接位置を、物品掛け具の装着箇所の条件に応じて基材の長手方向に位置変更することができるので、前記掛け止め体の掛け止め姿勢が設定姿勢に最も近付く状態で安定良く使用することができる。
【００２５】
本発明による第７の特徴構成は、前記当接部が、前記基材の幅よりも大なる長さを有する別部材から構成され、該当接部が、前記基材に対してそれの長手方向に対して直交する当接姿勢と基材の長手方向に沿う格納姿勢に変更可能に枢着されている点にある。
【００２６】
上記特徴構成によれば、前記掛け止め体の掛止部に物品を掛け止める場合には、前記当接部を基材に対してそれの長手方向に対して直交する当接姿勢に設定することにより、物品掛け具の左右方向でのふら付きを抑制することができる。
また、前記掛け止め体及び係止体を前記基材の背面側に回動させた折り畳み姿勢に変更するときには、前記当接部を基材に対してそれの長手方向に沿う格納姿勢に変更することにより、格納時における左右幅のコンパクト化を図ることができる。
【００２７】
本発明による第８の特徴構成は、前記当接部の当接部位にはこれよりも摩擦係数の大きな弾性体が付設されている点にある。
上記特徴構成によれば、前記掛け止め体の掛止部に掛け止められる物品の荷重を受けて基材の当接部が圧接される被装着面の損傷を抑制することができるとともに、物品掛け具の左右方向でのふら付きを抑制することができる。
【発明を実施するための最良の形態】
【００２８】
〔第１実施形態〕
図１〜図１３は、洗濯物干し用ハンガーや衣服用ハンガー等の物品Ａを室内の鴨居、家具の引出しや扉、タオル掛け、手摺等に掛け止める際に用いられる物品掛け具を示し、被装着面Ｗに対する当接部１を備えた合成樹脂製の基材２の上端部に、被装着面Ｗ側の被係止部Ｂに対して係脱自在なフック状の係止部３Ａを備えた合成樹脂製の係止体３と、物品Ａを掛け止め可能なフック状の掛止部４Ａを備えた合成樹脂製の掛け止め体４とが同軸芯Ｘ周りで回動可能に枢着されている。
【００２９】
前記基材２の略上半部２Ａは、図１〜図４に示すように、前記掛け止め体４の略半長円形状の基端部４Ｂの幅よりも少し幅広に形成され、この幅広上半部２Ａには、それの表面側から前記掛け止め体４の基端部４Ｂが嵌入可能な正面視略Ｕの字状の嵌合凹部２Ｂが形成されているとともに、前記嵌合凹部２Ｂの底部には、これに嵌入した掛け止め体４の基端部４Ｂの底面４ａが当接することにより該掛け止め体４を基材２の表面に対してほぼ直交状態で外方である前方側に突出する掛け止め姿勢に保持する薄板状のストッパ部２Ｃが形成されている。
【００３０】
前記掛け止め体４の基端部４Ｂの底面４ａが前記基材２の嵌合凹部２Ｂ内に嵌入してストッパ部２Ｃに当接した状態では、前記嵌合凹部２ＢのＵの字状内側面２ａと基端部４Ｂの半長円状外側面４ｂとが近接して、掛け止め体４に作用する左右方向の外力を嵌合面で分散して受止めることができ、基材２と係止体３及び掛け止め体４との枢支連結構造にガタが発生することを抑制することができる。
【００３１】
前記当接部１は、図９〜図１３に示すように、前記基材２の最大幅よりも大なる長さを有する長円形状の合成樹脂製の別部材から構成され、詳しくは、前記基材２に対する取付け孔１ａを形成する取付け筒部１ｂを備えた長方形状の取付け板部１ｃの左右両側に半長円形状の当て付け片１ｄを一体形成してある当接本体１Ａと、軟質で摩擦係数の大きな合成樹脂製（例えば、エラストマー樹脂）の弾性体の一例で、前記当接本体１Ａの両当て付け片１ｄに脱着自在に外嵌装着される弾性カバー１Ｂとから構成されている。
【００３２】
前記両弾性カバー１Ｂの存在により、前記掛け止め体４の掛止部４Ａに掛け止められるハンガー類の荷重を受けて基材２の当接部１が圧接される被装着面Ｗの損傷を抑制することができるとともに、物品掛け具の左右方向でのふら付きも抑制することができる。
【００３３】
前記当接本体１Ａの当て付け片１ｄの当り面１ｅは、それの幅方向中央位置が最も被装着面Ｗ側に突出する弧状面に形成されているとともに、前記弾性カバー１Ｂの当り面１ｇも、それの幅方向中央位置が最も被装着面Ｗ側に突出する弧状面に形成されている。
【００３４】
前記当接部１の当接本体１Ａは、図９〜図１３に示すように、前記基材２の幅狭な下半部２Ｄに形成された長孔２Ｅに沿って摺動自在に挿入された連結ピン５の無理嵌めによる枢支連結により、前記幅狭下半部２Ｄに対して回動並びに摺動自在に抜止め状態で取付けられ、前記幅狭下半部２Ｄの表面側には、前記連結ピン５の頭部５ａの摺動を案内するガイド溝２Ｆが形成されているとともに、前記基材２の幅狭下半部２Ｄと当接部１の当接本体１Ａとの間には、該当接部１を幅狭下半部２Ｄに対してそれの長手方向の複数位置で選択的に係止保持可能な位置変更係止手段Ｃが設けられている。
【００３５】
前記位置変更係止手段Ｃを構成するに、図１０〜図１２に示すように、前記幅狭下半部２Ｄの裏面側に、前記当接部１の当接本体１Ａに形成された筒軸部１ｈを摺動自在に移動案内する第２ガイド溝２Ｇと、該第２ガイド溝２Ｇの左右両側を区画する区画壁体２Ｈを薄肉状に残す状態で前記第２ガイド溝２Ｇの左右両側脇に沿って形成される左右一対の細溝２Ｊが形成されているとともに、前記幅狭下半部２Ｄの第２ガイド溝２Ｇの内底面と前記当接本体１Ａの筒軸部１ｈの先端面との間には、前記両区画壁体２Ｈの長手方向複数箇所（当該実施形態では４箇所）に屈曲形成された係止凹部２ｂに対して選択的に弾性係合可能な係止凸部６ａを備えた合成樹脂製の弾性係止体６が設けられている。
【００３６】
そして、前記当接部１の当接本体１Ａと一体的に摺動する弾性係止体６の両係止凸部６ａは、前記両区画壁体２Ｈの係止凹部２ｂを弾性復元力に抗して乗り越え移動自在で、かつ、任意の一つの係止凹部２ｂに係合させることにより、該当接部１を幅狭下半部２Ｄに対してそれの長手方向の所望位置で選択的に係止保持することができる。
【００３７】
前記当接本体１Ａの筒軸部１ｈは、図１０、図１１に示すように、該当接本体１Ａの長手方向に対して直交する方向に長い略長円形に形成され、それの短径方向での幅は、前記幅狭下半部２Ｄの第２ガイド溝２Ｇの幅よりも僅かに小に設定されていて、該筒軸部１ｈの長径方向に沿う左右の側面１ｊが、第２ガイド溝２Ｇの内側面に対する摺動ガイド面に構成されている。
【００３８】
前記幅狭下半部２Ｄの第２ガイド溝２Ｇの下端部は、図１１、図１２に示すように、前記筒軸部１ｈの長径方向長さよりも僅かに大なる内径で円弧状の回動ガイド溝２Ｋに形成され、この回動ガイド溝２Ｋの直径方向で相対向する二箇所には、第２ガイド溝２Ｇから移入した前記筒軸部１ｈの周面のうち、直径方向で相対向する二箇所に形成した段落ち状の当り部１ｋが回動方向から当接することにより、該筒軸部１ｈの回動角度範囲を９０度に規制する回動規制面２ｄを形成してある。
【００３９】
そして、前記当接部１の当接本体１Ａは、基材２の幅狭下半部２Ｄに対して９０度の角度範囲内において回動自在で、その角度範囲内での回動により、該当接部１が、前記基材２に対してそれの長手方向に対して直交する当接姿勢と基材２の長手方向に沿う格納姿勢とに変更可能に構成されている。
【００４０】
前記係止体３は、図５〜図９に示すように、前記掛け止め体４の基端部４Ｂに内嵌可能な一対の連結片３ａを備えた連結部３Ｂと、この連結部３Ｂの前記回動軸芯Ｘと直交する方向に突出する連結筒部３ｂに対する無理嵌めにより、該連結部３Ｂに対して前記回動軸芯Ｘと直交する第２回動軸芯（縦軸芯）Ｙ周りで向き変更自在に枢支連結されるフック状の係止部３Ａとから構成されている。
【００４１】
前記フック状係止部３Ａの係止面側には、軟質で摩擦係数の大きな合成樹脂製（例えば、エラストマー樹脂）の弾性体３Ｃが一体形成されている。
【００４２】
前記係止体３の連結片３ａとこれに外嵌された掛け止め体４の基端部４Ｂにおける側板部分並びにこれに外嵌された基材２の基端部における側板部分とは、回動軸芯Ｘ方向の外方から無理嵌めされる一対の連結ピン７により、前記係止体３と掛け止め体４並びに基材２とが夫々回動軸芯Ｘ周りで相対回動自在に構成されているとともに、前記掛け止め体４は、基材２の背面側に重合する位置にまで回動させた折り畳み姿勢に変更操作自在に構成されている。
【００４３】
前記掛け止め体４の下側面の基端部４Ｂ側には、図１〜図５に示すように、被装着面Ｗ側の被係止部Ｂの一例である被係止杆１０に対して上方側から係脱自在な半円弧状の係合部４Ｃが形成されているとともに、前記掛け止め体４には、前記係止体３のフック状係止部３Ａの少なくとも一部が入り込み可能な凹部４Ｄが形成されている。
【００４４】
前記凹部４Ｄは、図６、図８、図９に示すように、前記係止体３のフック状係止部３Ａの係止口３ｄが掛け止め体４のフック状掛止部４Ａの掛止口４ｄと対向する逆向き姿勢にあるとき、前記係止体３の全体又は略全体が入り込み可能、換言すれば、フック状係止部３Ａの背面部のみが掛け止め体４の上側面４ｅよりも少し上方側に突出する格納姿勢で係止体３の略全体が入り込み可能に構成されているとともに、図２、図７に示すように、前記係止体３のフック状係止部３Ａの係止口３ｄが掛け止め体４のフック状掛止部４Ａの掛止口４ｄと同じ側に向く姿勢にあるとき、前記フック状係止部３Ａの係止口３ｄ全域が掛け止め体４の上側面４ｅと略同じ位置又は掛け止め体４の上側面４ｅよりも少し上方側において開口する上向き傾斜の第２係止姿勢で該フック状係止部３Ａの一部である背面部が入り込み可能に構成されている。
【００４５】
そして、図１、図２に示すように、物品掛け具を被係止部Ｂの一例である引出し１１の前面板１１Ａに装着する第１使用形態の場合には、前記掛け止め体４の基端部４Ｂを前記基材２の嵌合凹部２Ｂ内に嵌入して該基端部４Ｂの底面４ａをストッパ部２Ｃに当接させ、掛け止め体４を基材２の表面に対して略直交状態で前方側に突出する掛け止め姿勢に切り替えるとともに、前記当接部１の当接本体１Ａを、前記基材２の第２ガイド溝２Ｇの最下端に形成されている回動ガイド溝２ｋにおいて水平となる当接姿勢に設定し、前記係止体３のフック状係止部３Ａを引出し１１の前面板１１Ａの上縁に係合するとともに、前記基材２の当接部１を、被装着面Ｗの一例である引出し１１の前面板１１Ａの前面に当接させる。
【００４６】
このとき、前記引出し１１の前面板１１Ａの高さが短い場合には、前記当接部１の当接本体１Ａを、図１３に示すように、前記基材２の第２ガイド溝２Ｇに沿って上方の係止保持位置に変更する。
【００４７】
また、図５に示すように、物品掛け具を被係止杆１０の一例である壁面フックに装着する第２使用形態の場合には、第１使用形態にある物品掛け具の係止体３を、第２回動軸芯Ｙ周りで９０度だけ向き変更操作する。
【００４８】
また、図６、図７に示すように、物品掛け具を被係止杆１０の一例であるタオル掛けに装着する場合には、このタオル掛け１０の水平な係止杆１０Ａと該タオル掛け１０を取付ける被装着面Ｗの一例である壁面との間に、物品掛け具の基材２を挿入し、該基材２の最下端の回動ガイド溝２ｋにおいて水平となる当接姿勢に設定されている当接部１の当接本体１Ａを前記壁面Ｗに当接するとともに、前記掛け止め体４の下側面の基端部４Ｂ側に形成されている半円弧状の係合部４Ｃをタオル掛け１０の係止杆１０Ａに係合する。
【００４９】
このとき、図６に示す第３使用形態の場合には、前記係止体３のフック状係止部３Ａを、それの係止口３ｄが掛け止め体４のフック状掛止部４Ａの掛止口４ｄと対向する逆向き姿勢に設定し、前記係止体３の全体又は略全体を、掛け止め体４の凹部４Ｄ内に入り込ませる。
また、図７に示す第４使用形態の場合には、前記係止体３のフック状係止部３Ａを、それの係止口３ｄが掛け止め体４のフック状掛止部４Ａの掛止口４ｄと同じ側に向く姿勢に設定し、前記フック状係止部３Ａの係止口３ｄ全域が掛け止め体４の上側面４ｅと略同じ位置又は掛け止め体４の上側面４ｅよりも少し上方側において開口する上向き傾斜状態で該フック状係止部３Ａの背面部を、掛け止め体４の凹部４Ｄ内に入り込ませ、該係止体３のフック状係止部３Ａを第２のフック状掛止部として兼用使用する。
【００５０】
さらに、図８、図９に示す折り畳み形態の場合には、前記係止体３のフック状係止部３Ａを、それの係止口３ｄが掛け止め体４のフック状掛止部４Ａの掛止口４ｄと対向する逆向き姿勢に設定して、前記係止体３の全体又は略全体を、掛け止め体４の凹部４Ｄ内に入り込ませたのち、前記掛け止め体４は、基材２の背面側に重合する位置にまで回動させた折り畳み姿勢に変更操作するとともに、前記当接部１の当接本体１Ａを格納姿勢に変更操作する
【００５１】
〔第２実施形態〕
図１４は、前記第１実施形態で説明した物品掛け具の改良を示し、前記当接本体１Ａの当て付け片１ｄの弧状当り面１ｅには、外嵌装着された弾性カバー１Ｂの抜出し抵抗となる一つ又は複数の突起１ｆが形成されている。
尚、その他の構成は、第１実施形態で説明した構成と同一であるから、同一の構成箇所には、第１実施形態と同一の番号を付記してそれの説明は省略する。
【００５２】
〔その他の実施形態〕
（１）上述の第１実施形態では、前記係止体３の係止部３Ａ及び掛け止め体４の掛止部４Ａを夫々フック状に形成したが、前記係止部３Ａｄとしては、被装着面Ｗ側の被係止部Ｂに対して係脱自在に係止できるものであれば、如何なる構造のものを用いてもよく、また、前記掛止部４Ａも、物品Ａを掛け止め可能なものであれば、如何なる構造のものを用いてもよい。
【００５３】
（２）上述の第１実施形態では、前記基材２に、前記掛け止め体４の基端部４Ｂ全体が嵌入可能な嵌合凹部２Ｂを形成したが、この嵌合凹部２Ｂとしては、前記掛け止め体４の基端部４Ｂの一部が嵌入する構造のものであってもよい。
【００５４】
（３）上述の第１実施形態では、前記基材２の第２ガイド溝２Ｇの下端部に形成された円弧状の回動ガイド溝２Ｋにおいて、前記当接部１の当接本体１Ａを、基材２の長手方向に対して直交する当接姿勢と基材２の長手方向に沿う格納姿勢とに変更操作自在に構成したが、前記第２ガイド溝２Ｇの全領域において、前記当接部１の当接本体１Ａを当接姿勢と格納姿勢とに変更操作自在に構成してもよい。
また、上述の第１実施形態では、前記当接部１の当接本体１Ａの回動角度範囲を９０度に規制したが、該当接本体１Ａを３６０度以上に回動自在に構成してもよい。
【００５５】
（４）  上述の第１実施形態では、前記基材２に対する掛け止め体４の掛け止め姿勢が一つに設定されているが、この掛け止め体４を、前記基材２に対して複数の掛け止め姿勢で選択的に係止保持する掛け止め姿勢変更係止手段を設けてもよい。
【図面の簡単な説明】
【００５６】
【図１】本願発明の第１実施形態を示し、係止体が係止姿勢にある第１使用形態での物品掛け具の全体斜視図
【図２】第１使用形態での物品掛け具全体の縦断面図
【図３】基材と掛け止め体とを展伸させたときの要部の断面平面図
【図４】(ａ)、（ｂ）は基台の揺動操作を示す物品掛け具全体の側面図
【図５】係止体を９０度回転させた第２使用形態での物品掛け具全体の斜視図
【図６】係止体が格納姿勢にある第３使用形態を示す斜視図
【図７】係止体が第２係止姿勢にある第４使用形態を示す斜視図
【図８】折り畳み姿勢にある物品掛け具全体の斜視図
【図９】折り畳み姿勢にある物品掛け具全体の縦断面図
【図１０】(ａ)、（ｂ）は当接部の裏面側方向視の斜視図
【図１１】基材とれから分離された当接部との係合関係を示す一部切欠き背面図
【図１２】(ａ)、（ｂ）は当接部の当接姿勢と格納姿勢を示す基材の要部の断面背面図
【図１３】基材の拡大正面図
【図１４】本願発明の第２実施形態を示す当接部の拡大斜視図
【符号の説明】
【００５７】
Ａ        物品
Ｂ        被係止部
Ｗ        被装着面
Ｘ        回動軸芯
Ｙ        縦軸芯（第２回動軸芯）
１        当接部
１Ｂ      弾性体（弾性カバー）
２        基材
２Ｂ      嵌合凹部
３        係止体
３Ａ      係止部
３ｄ      係止口
４        掛け止め体
４Ａ      掛止部
４Ｂ      基端部
４Ｃ      係合部
４Ｄ      凹部
４ｄ      掛止口
１０      被掛止杆
【図１】
0004976997.tif 000002
【図２】
0004976997.tif 000003
【図３】
0004976997.tif 000004
【図４】
0004976997.tif 000005
【図５】
0004976997.tif 000006
【図６】
0004976997.tif 000007
【図７】
0004976997.tif 000008
【図８】
0004976997.tif 000009
【図９】
0004976997.tif 000010
【図１０】
0004976997.tif 000011
【図１１】
0004976997.tif 000012
【図１２】
0004976997.tif 000013
【図１３】
0004976997.tif 000014
【図１４】
0004976997.tif 000015